(57)【要約】【課題】塗装むらの生じた光ディスクのレーベル面に対しても精度よく記録することができる光ディスク装置およびレーザ出力制御方法を提供する。【解決手段】光ピックアップから照射するレーザの出力値を所定の値から段階的に強くし、反射光の出力値が所定値に達した場合、このレーザの出力値を用いてレーザの出力値をシステムコントローラ３４によって決定し、所定値に到達する前にレーザを照射してデータの記録を行った光ディスクの領域に、上述したデータと同一のデータを上書きして記録する。【選択図】図４
2007273047.tif 000002
【特許請求の範囲】
【請求項１】
光ディスクにレーザを照射するレーザ照射手段と、
前記光ディスクに所定のデータを記録する場合に前記レーザ照射手段から照射するレーザの出力値を所定の値から段階的に強くするように制御する手段と、
前記光ディスクに照射された前記レーザの反射光の出力値を検知する手段と、
前記反射光の出力値を検知する手段により検知された反射光の出力値が所定値に達した場合、このときのレーザの出力値を記憶手段に記憶し、前記レーザの照射を停止する手段と、
前記記憶手段に記憶されたレーザの出力値を用いてレーザの出力値を決定し、このレーザの出力値を用いて、前記所定値に到達する前にレーザを照射して前記データの記録を行った前記光ディスクの領域に、前記データと同一のデータを上書きして記録する記録手段と、
を具備することを特徴とする光ディスク装置。
【請求項２】
請求項１に記載の光ディスク装置において、
前記所定値に達したときの反射光の出力値の所定のパラメータおよび前記レーザの出力値と、前記記録手段により前記光ディスクに記録するときの所定のパラメータとを比較し、この比較の結果に基づいて、前記記録手段により用いるレーザの出力値を制御することを特徴とする光ディスク装置。
【請求項３】
請求項１に記載の光ディスク装置において、
前記記録手段によって記録された所定の領域の前記データを再生したときに、前記光ディスクからのレーザの反射光の出力値が前記所定値を上回っていた場合は、前記レーザの反射光の出力値が前記所定値を上回っていた前記光ディスクの領域に、再度、前記データと同一のデータを上書きして記録することを特徴とする光ディスク装置。
【請求項４】
光ディスクにレーザを照射するレーザ照射手段と、前記光ディスクに所定のデータを記録する場合に前記レーザ照射手段から照射するレーザの出力値を所定の値から段階的に強くするように制御する手段とを備えた光ディスク装置の制御方法であって、
前記光ディスクに照射された前記レーザの反射光の出力値を検知する検知ステップと、
前記検知ステップにより検知された反射光の出力値が所定値に達した場合、このときのレーザの出力値を記憶し、前記レーザの照射を停止し、記憶された前記レーザの出力値を用いてレーザの出力値を決定する決定ステップと、
前記レーザの出力値を用いて、前記所定値に到達する前にレーザを照射して前記データの記録を行った前記光ディスクの領域に、前記データと同一のデータを上書きして記録する記録ステップと、
を有することを特徴とするレーザ出力制御方法。
【請求項５】
請求項４に記載のレーザ出力制御方法において、
前記所定値に達したときの反射光の出力値の所定のパラメータおよび前記レーザの出力値と、前記記録ステップにより前記光ディスクに記録されるときの所定のパラメータとを比較し、この比較の結果に基づいて、前記記録ステップにより用いられるレーザの出力値を制御することを特徴とするレーザ出力制御方法。
【請求項６】
請求項４に記載のレーザ出力制御方法において、
前記記録ステップによって記録された所定の領域の前記データを再生したときに、前記光ディスクからのレーザの反射光の出力値が前記所定値を上回っていた場合は、前記レーザの反射光の出力値が前記所定値を上回っていた前記光ディスクの領域に、再度、前記データと同一のデータを上書きして記録することを特徴とするレーザ出力制御方法。
【発明の詳細な説明】
【技術分野】
【０００１】
本発明は、光ディスク装置に係わり、特に光ディスクのレーベル面への記録精度を向上することが可能な光ディスク装置およびレーザ出力制御方法に関する。
【背景技術】
【０００２】
一般的に光ディスクのレーベル面に画像情報等を記録する場合、例えば、特開２００３−２０３３４８号公報に開示されているように、光ディスクのレーベル面にはトラック情報がないため、画像情報形成時のピックアップの光ディスクの径方向における走査は、まず、ステッピングモータにより任意の位置に移動を行う。そして、ステッピングモータの移動分解能の最小移動分解能以上の微細な移動を行う場合は、さらにトラッキングアクチュエータを駆動させることによりレーザ光を任意の記録位置に移動させる。
【特許文献１】特開２００３−２０３３４８号公報
【発明の開示】
【発明が解決しようとする課題】
【０００３】
上述した従来の技術においては、光ディスクのレーベル面に情報を記録する場合、光ディスクのレーベル面の塗装は一般的にシルク塗装されていることが多い。このシルク塗装は、塗装むらが大きくなる傾向がある。塗装むらは、光ディスクのレーベル面にレーザで記録する際に記録感度が光ディスクの領域によって違いが生じる原因となる。
【０００４】
本発明の目的は、塗装むらの生じた光ディスクのレーベル面に対しても精度よく記録することができる光ディスク装置およびレーザ出力制御方法を提供することである。
【課題を解決するための手段】
【０００５】
上記目的を達成するために、本発明の一態様によれば、光ディスクにレーザを照射するレーザ照射手段と、前記光ディスクに所定のデータを記録する場合に前記レーザ照射手段から照射するレーザの出力値を所定の値から段階的に強くするように制御する手段と、前記光ディスクに照射された前記レーザの反射光の出力値を検知する手段と、前記反射光の出力値を検知する手段により検知された反射光の出力値が所定値に達した場合、このときのレーザの出力値を記憶手段に記憶し、前記レーザの照射を停止する手段と、前記記憶手段に記憶されたレーザの出力値を用いてレーザの出力値を決定し、このレーザの出力値を用いて、前記所定値に到達する前にレーザを照射して前記データの記録を行った前記光ディスクの領域に、前記データと同一のデータを上書きして記録する記録手段とを具備することを特徴とする。
【発明の効果】
【０００６】
本発明を用いることにより、塗装むらの生じた光ディスクのレーベル面に対しても精度よく記録することができる光ディスク装置およびレーザ出力制御方法を提供することができる。
【発明を実施するための最良の形態】
【０００７】
以下図面を参照して、本発明の実施形態を説明する。
【０００８】
図１には、本発明の第１実施形態に係る情報処理装置のシステム構成図が示されている。この情報処理装置は、例えばノートブック型コンピュータ１０として実現されている。
【０００９】
図１に示すように、コンピュータ１０は、コンピュータ本体と、ディスプレイユニット１２とから構成されている。ディスプレイユニット１２にはＬＣＤ（Liquid Crystal Display）からなる表示画面１２１が組み込まれている。
【００１０】
コンピュータ１０は、パワーボタン９、ＬＥＤ表示部（表示手段）２２０、キーボード８、タッチパッド７、光ディスク装置１１等を備えている。
【００１１】
光ディスク装置１１は、図２に示すように、イジェクトボタン１１ａを備えており、このイジェクトボタン１１ａを押下する等により、ドロワー部１１ｂが図３に示すように射出される。
【００１２】
図４は、本発明に係る光ディスク装置の要部構成を示すブロック図である。
【００１３】
光ピックアップから出力されたレーザ光が光ディスクに反射して投射されるフォトディテクタＡ，Ｂ，Ｃ，Ｄに入った反射光は、Ｉ／Ｖアンプ２０〜２３でフォトディテクタＡ，Ｂ，Ｃ，Ｄからの出力電流を電圧に変換する。Ｉ／Ｖアンプ２０〜２３から出力された電圧は、サンプルホールド回路ＳＨ１〜ＳＨ４を経由して加算アンプ２４、２５に入力され、さらに加算アンプ３５で全フォトディテクタＡ，Ｂ，Ｃ，Ｄからの出力信号を加算する。なお、サンプルホールド回路ＳＨ１〜ＳＨ４は、タイミング発生器３３からのレーザの出力を切り替えるタイミング信号Ｓ１で制御される。このとき、レーザドライバ３２は、タイミング発生器３３のタイミングに応じてシステムコントローラ３４からのパワー指示に応じてレーザ出力を制御する。
【００１４】
また、Ｉ／Ｖアンプ２０〜２３から出力された電圧は、減算アンプ２８にも出力され、サンプルホールド回路ＳＨ５〜ＳＨ７を経由して出力信号ＰＬＶ２９、ＢＬＶ３０、ＳＬＶ３１としてそれぞれ出力される。なお、サンプルホールド回路ＳＨ５〜ＳＨ７は、それぞれタイミング発生器３３からのタイミング信号Ｓ１、Ｓ２、Ｓ３でそれぞれで制御される。
【００１５】
割り算器２６は、加算アンプ３５からの出力信号をＰＬＶ２９で正規化し、常に感度変動の少ないフォーカスエラー信号ＦＥ２７を出力する。なお、割り算器２６は、ＰＬＶ２９に変わってＳＬＶ３１を用いてＦＥ２７を出力することもできる。
【００１６】
本発明の光ディスク装置を適用したレーザ出力制御方法について、図５のフローチャートを参照して説明する。また図６は、レーザ出力、反射光、ＰＬＶ２９、ＢＬＶ３０、ＳＬＶ３１のそれぞれの波形を示した模式図である。
【００１７】
最初に、光ディスクのレーベル記録が可能な面（レーベル面）をレーザが照射される光ピックアップと対向させるようにディスクモータ上に装着する。次に、光ディスクの所定の半径位置に対し光ピックアップの位置決めを行い、所定の線速度でディスクモータを回転させる。光ディスクの回転角速度方向は、光ディスクまたはディスクモータが備えているインデックスマークを基準にしてＦＧ（モータ回転数パルス出力）信号に割り当てて角度位置が決定され、システムコントローラ３４によって光ピックアップが光ディスク上のどの位置にあるかを検出する。
【００１８】
以上のように光ディスクがディスクモータに装着された状態で、システムコントローラ３４は、レーザドライバ３２およびタイミング発生器３３に対して光ディスクへのレーザの照射の開始を行うように指示を出す。このとき、レーザの照射は段階的に強くするように制御する（ステップＳ１０１）。例えば、図６に示すように。レーザ出力４０を段階的に強くするようにする。このとき、各種パラメーターをハードディスク等の記憶装置に記憶しておく。また、レーザ光が光ディスクに照射された後の反射光４１もレーザ出力４０を段階的に強くしたことに連動して強い反射光となる。ＰＬＶ２９も同様に段階的に強い出力値を示す。またレーザ出力４０を段階的に強くした場合、ＳＬＶ３１は一定、ＢＬＶ３０は段階的に小さくなる。
【００１９】
なお、レーザ出力４０を段階的に強くする制御方法を取るのは、レーザ出力４０が最初から大きくしてレーザを光ディスクに照射すると、ＢＬＶ３０の変化が少ないため（図６参照）、ＢＬＶ３０の変化を検知することが困難になるからである。
【００２０】
また、反射率φは以下の２つの式のどちらからでも得ることができる。
【００２１】
φ＝ＢＬＶ／ＰＬＶ・・・（１）
φ＝（ＢＬＶ／ＳＬＶ）＊（ＲＰ／ＷＰ）・・・（２）
ＲＰ：リードパワー（再生時のレーザ出力）、ＷＰ：ライトパワー（記録時のレーザ出力）
また、光ディスクと光ピックアップから照射されるレーザ光との相対移動の際の各信号の出力値の関係を図７に示す。タイミング信号Ｓ１に同期してライトパワーＷＰが立ち上がり、反射光も増大する（同様に図６も参照）。さらに、タイミング信号Ｓ２に同期してライトパワーＷＰが立ち下がり、リードパワーＲＰのレーザの出力となる。
【００２２】
図５のフローチャートに戻り、ステップＳ１０１で段階的にレーザの出力を強くしていくと、システムコントローラ３４は、反射光の出力値が所定の値に達したかを判別する（ステップＳ１０２）。システムコントローラ３４によって、反射光の出力値が所定の値に達したと判別されると（ステップＳ１０２のＹＥＳ）、反射光の出力値をハードディスク等の記憶装置に記憶し、レーザの照射を停止する（ステップＳ１０３）。
【００２３】
システムコントローラ３４は、記憶装置に記憶した出力値および各種のパラメーターから光ディスクへのレーザ光による記録の出力値を決定する（ステップＳ１０４）。システムコントローラ３４は、決定されたレーザ出力値を用いて、所定値に到達する前にレーザを照射してデータの記録を行った光ディスクの領域に、同一のデータを上書きして記録する（ステップＳ１０５）。
【００２４】
なお、決定されたレーザの出力値は、この出力値より多少の余裕を持たせた出力値を用いると信頼性が向上する。
【００２５】
以上のように、塗装むらの生じた光ディスクのレーベル面に対しても、試し書きステップを行うことで記録レーザの出力値を最適化し、精度よく記録することができる。
【００２６】
なお、変形例として、上述したような段階的にレーザの出力を強くすることを行わずに、試し書き領域を設けて、光ディスクに試し書き領域を設けて、この試し書き領域にレーザを照射し、光ディスクに記録するレーザの出力値を求めてから、本データ記録領域に求められたレーザの出力値で記録することもできる。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明の実施形態に関する光ディスク装置を搭載したノート型のパーソナルコンピュータを示した模式図。
【図２】本発明の実施形態に関する光ディスク装置の外観の一例を示した模式図。
【図３】図２の光ディスク装置からドロワー部が射出した状態を示した模式図。
【図４】本発明の実施形態に関する光ディスク装置の要部構成を示すブロック図。
【図５】本発明の実施形態に関する光ディスク装置を適用したレーザ出力制御方法について説明したフローチャート。
【図６】レーザ出力、反射光、ＰＬＶ、ＢＬＶ、ＳＬＶのそれぞれの波形を示した模式図。
【図７】光ディスクと光ピックアップから照射されるレーザ光との相対移動の際の各信号の出力値の関係を説明する模式図。
【符号の説明】
【００２９】
７…タッチパッド、８…キーボード、９…パワーボタン、１０…コンピュータ、１１…光ディスク装置、１２…ディスプレイユニット、２４、２５、３５…加算アンプ、２６…割り算器、２７…フォーカスエラー信号ＦＥ、２８…減算アンプ、２９…ＰＬＶ、３０…ＢＬＶ、３１…ＳＬＶ、３２…レーザドライバ、３３…タイミング発生器、３４…システムコントローラ、３５…加算アンプ、４０…レーザ出力、４１…反射光。
【図１】
2007273047.tif 000003
【図２】
2007273047.tif 000004
【図３】
2007273047.tif 000005
【図４】
2007273047.tif 000006
【図５】
2007273047.tif 000007
【図６】
2007273047.tif 000008
【図７】
2007273047.tif 000009